(57)【要約】【課題】遊技盤の組立作業中に装飾部材の電気配線を損傷し難い遊技機を提供する。【解決手段】遊技盤本体２の表面に表示ケース２１を装着して遊技盤１を構成し、表示ケース２１には電気部品を実装したパチンコ遊技機において、表示ケース２１には、電気部品に通電するための電気配線４０を接続し、遊技盤本体２には、電気配線４０を挿通する挿通口２０を当該遊技盤本体２の表裏方向に貫通する状態で開設し、電気配線４０を複数回折り返して束ねて自重による撓みを抑制可能な剛性状態とし、この剛性状態で電気配線４０の部品側折り返し部４０ｂを挿通口２０へ収容した。【選択図】図２
2010124912.tif 000002
【特許請求の範囲】
【請求項１】
遊技盤本体の表面に装飾部材を装着して遊技盤を構成し、装飾部材には電気部品を実装した遊技機において、
前記装飾部材には、電気部品に通電するための電気配線を接続し、
前記遊技盤本体には、電気配線を挿通する挿通口を当該遊技盤本体の表裏方向に貫通する状態で開設し、
前記電気配線を複数回折り返して束ねて自重による撓みを抑制可能な剛性状態とし、この剛性状態で電気配線の折り返し部を挿通口へ収容したことを特徴とする遊技機。
【請求項２】
前記電気配線の折り返し部のうち電気部品側に位置する部品側折り返し部の幅を挿通口よりも大きく設定し、部品側折り返し部により挿通口の内周壁を押圧可能としたことを特徴とする請求項１に記載の遊技機。
【請求項３】
前記装飾部材には、挿通口へ挿通可能な配線ブラケットを遊技盤本体の表裏方向に沿って延設し、該配線ブラケットに電気配線を係合し、この状態で配線ブラケットと挿通口の内周壁との間に部品側折り返し部を挟持可能としたことを特徴とする請求項１または請求項２に記載の遊技機。
【請求項４】
前記配線ブラケットには係合開口を開設し、電気配線のうち部品側折り返し部と電気部品との間に位置する部分を係合開口へ挿通して、電気配線と配線ブラケットとを係合可能としたことを特徴とする請求項３に記載の遊技機。
【発明の詳細な説明】
【技術分野】
【０００１】
本発明は、遊技盤本体の表面に装飾部材を装着して遊技盤を構成し、装飾部材には電気部品を実装したパチンコ遊技機等の遊技機に関する。
【背景技術】
【０００２】
従来の遊技機、例えば、パチンコ遊技機においては、ベニヤ板等で形成された遊技盤本体の表面に、遊技領域区画部材や演出ユニット等の装飾部材を装着して遊技盤を構成し、装飾部材には発光源や駆動モータ等の電気部品を実装している（例えば、特許文献１参照）。
【特許文献１】特開平１１−０２８２７３号公報
【発明の開示】
【発明が解決しようとする課題】
【０００３】
ところで、遊技盤を組み立てる際には、装飾部材に電気部品と、該電気部品に通電するための電気配線とを予め取り付けておき、この装飾部材を遊技盤本体に装着し、電気配線を遊技盤本体の裏側へ露出させる。また、この状態で遊技盤本体の姿勢を変えて、遊技盤本体に他の遊技盤構成部品を装着する。ここで、電気配線に対して何も処置を施さないと、電気配線が自重で撓んでしまい、電気配線の先端部が遊技盤本体の縁部に位置することがある。そして、組立作業中に遊技盤本体と他の部品（例えば組立作業用治具）との間に電気配線を挟んで損傷させてしまう虞があり、改善の余地がある。
【０００４】
そこで、本発明は、上記の事情に鑑みてなされたものであり、その目的は、遊技盤の組立作業中に装飾部材の電気配線を損傷し難い遊技機を提供しようとするものである。
【課題を解決するための手段】
【０００５】
本発明は、上記目的を達成するために提案されたものであり、請求項１に記載のものは、遊技盤本体の表面に装飾部材を装着して遊技盤を構成し、装飾部材には電気部品を実装した遊技機において、
前記装飾部材には、電気部品に通電するための電気配線を接続し、
前記遊技盤本体には、電気配線を挿通する挿通口を当該遊技盤本体の表裏方向に貫通する状態で開設し、
前記電気配線を複数回折り返して束ねて自重による撓みを抑制可能な剛性状態とし、この剛性状態で電気配線の折り返し部を挿通口へ収容したことを特徴とする遊技機である。
【０００６】
請求項２に記載のものは、前記電気配線の折り返し部のうち電気部品側に位置する部品側折り返し部の幅を挿通口よりも大きく設定し、部品側折り返し部により挿通口の内周壁を押圧可能としたことを特徴とする請求項１に記載の遊技機である。
【０００７】
請求項３に記載のものは、前記装飾部材には、挿通口へ挿通可能な配線ブラケットを遊技盤本体の表裏方向に沿って延設し、該配線ブラケットに電気配線を係合し、この状態で配線ブラケットと挿通口の内周壁との間に部品側折り返し部を挟持可能としたことを特徴とする請求項１または請求項２に記載の遊技機である。
【０００８】
請求項４に記載のものは、前記配線ブラケットには係合開口を開設し、電気配線のうち部品側折り返し部と電気部品との間に位置する部分を係合開口へ挿通して、電気配線と配線ブラケットとを係合可能としたことを特徴とする請求項３に記載の遊技機である。
【発明の効果】
【０００９】
本発明によれば、以下のような優れた効果を奏する。
請求項１に記載の発明によれば、遊技盤本体の表面に装飾部材を装着して遊技盤を構成し、装飾部材には電気部品を実装した遊技機において、装飾部材には、電気部品に通電するための電気配線を接続し、遊技盤本体には、電気配線を挿通する挿通口を当該遊技盤本体の表裏方向に貫通する状態で開設し、電気配線を複数回折り返して束ねて自重による撓みを抑制可能な剛性状態とし、この剛性状態で電気配線の折り返し部を挿通口へ収容したので、束ねた状態の電気配線を遊技盤の表裏方向に沿って延在する姿勢（表裏方向延在姿勢）に維持することができ、遊技盤の組立作業時に電気配線が遊技盤本体の裏面側に沿う姿勢となることを避けることができる。さらに、電気配線の先端部が遊技盤本体の縁部に位置すること、ひいては遊技盤本体の縁部と治具などの他部品との間に挟まれる不都合を阻止することができ、組立作業時における電気配線の損傷を抑制することができる。
【００１０】
請求項２に記載の発明によれば、電気配線の折り返し部のうち電気部品側に位置する部品側折り返し部の幅を挿通口よりも大きく設定し、部品側折り返し部により挿通口の内周壁を押圧可能としたので、部品側折り返し部が挿通口から外れ難くなり、束ねた状態の電気配線の表裏方向延在姿勢を一層確実に維持することができる。
【００１１】
請求項３に記載の発明によれば、装飾部材には、挿通口へ挿通可能な配線ブラケットを遊技盤本体の表裏方向に沿って延設し、該配線ブラケットに電気配線を係合し、この状態で配線ブラケットと挿通口の内周壁との間に部品側折り返し部を挟持可能としたので、配線ブラケットにより電気配線を支持することができ、電気配線が外力を受けたとしても表裏方向延在姿勢を維持し易い。また、電気配線の束ねた状態を解いて電気配線を挿通口から引き出す際に、電気配線と電気部品との接続部に負荷が集中することを避けることができ、電気配線の電気部品側の端部で断線する不都合を阻止することができる。
【００１２】
請求項４に記載の発明によれば、配線ブラケットには係合開口を開設し、電気配線のうち部品側折り返し部と電気部品との間に位置する部分を係合開口へ挿通して、電気配線と配線ブラケットとを係合可能としたので、配線ブラケットと電気配線とを確実に係合することができる。また、配線ブラケットおよび電気配線とは別個の部品を用いずに配線ブラケットと電気配線とを係合することができ、電気配線が断線し難い遊技盤の部品点数の減少を図ることができる。
【発明を実施するための最良の形態】
【００１３】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、矩形状の遊技盤本体２の表面にガイドレール３や複数のサイドケース４等の区画部材を装着して遊技領域５を区画形成し、該遊技領域５内の略中央に包囲枠体（センターケース）７を配設し、該包囲枠体７の後方には、遊技の進行に伴って演出表示を行う演出表示装置８を備えている。また、遊技領域５のうち包囲枠体７の下方には普図始動ゲート９を配置し、包囲枠体７の側方（図１中、左側方）には、羽根状の開閉部材１０ａが備えられた始動入賞口１０を配置し、包囲枠体７の左下方および右下方には、発光により各種の装飾表示を行うサイドランプ１１を配置し、該サイドランプ１１に一般入賞口１２を備えている。さらに、普図始動ゲート９の下方には大入賞口１３を配置し、遊技領域５の下端には、入賞せずに流下した遊技球を回収するアウト口１４を設けている。そして、遊技盤１の裏側には、パチンコ遊技機における遊技制御を行う遊技制御装置１５や遊技球を排出する球排出機構（図示せず）等で構成される裏側構成部１６を備えている。そして、図２に示すように、遊技盤本体２の右下隅部には挿通口２０を当該遊技盤本体２の表裏方向に貫通する状態で開設し、遊技盤本体２の右下隅部の表面側には、サイドケース４の一種である表示ケース２１（本発明における装飾部材に相当）を装着して挿通口２０を遊技盤本体２の表面側から閉成している。
【００１４】
表示ケース２１は、遊技の進行に伴って変化する情報を表示して遊技盤１の前面を装飾するものであり、図３〜５に示すように、当該表示ケース２１の基部となるケースベース２４と、情報を表示可能な表示ユニット２５と、該表示ユニット２５をケースベース２４へ装着するユニットホルダ２６とを備えて構成されている。ケースベース２４は、図３に示すように、正面から見て略直角三角形状を呈する部材であり、遊技領域５側の縁部（上縁部）をアウト口１４側（図３中、左側）へ向けて下り傾斜した円弧状に形成して、遊技領域５の右側縁のうち上下方向の中央部分からアウト口１４に亘って円弧状に区画している。また、ケースベース２４の表面側の下部には平板状の証紙貼着部２７を配置し、該証紙貼着部２７の表面側には、パチンコ遊技機の機種情報（例えば、機械番号等を記号で表示した製造情報や、製造業者名）を表示した証紙２８を貼着している。さらに、図３および図５に示すように、ケースベース２４の表面側の上部には、ユニットホルダ２６および表示ユニット２５を収容するためのユニット収容部２９をケースベース２４の裏面側へ向けて凹ませた状態で形成している。そして、図４および図５に示すように、ユニット収容部２９の後部にはケース開放口３０を遊技盤１の表裏方向（前後方向）に沿って貫通し、ケース開放口３０と遊技盤本体２の挿通口２０とを連通可能としている。
【００１５】
表示ユニット２５は、図３に示すように、ユニット基板３２の表面に複数の電気部品３３を実装して構成されている。具体的には、普通図柄表示器３４および特別図柄表示器３５として機能する２つの７セグメントＬＥＤと、普図始動記憶表示器３６、特図始動記憶表示器３７、ステータス表示器３８として機能する複数のＬＥＤ（点状発光体）と、配線コネクタ３９とを実装している。また、普通図柄表示器３４、特別図柄表示器３５、普図始動記憶表示器３６、特図始動記憶表示器３７をケースベース２４の上縁部に沿って円弧状に配置し、配線コネクタ３９をユニット基板３２の表面の下部へ配置している。さらに、配線コネクタ３９には、電気部品３３（普通図柄表示器３４、特別図柄表示器３５、普図始動記憶表示器３６、特図始動記憶表示器３７、ステータス表示器３８）に通電するための電気配線４０を接続して表示ユニット２５の裏側へ引き出し、引き出された電気配線４０の先端には、遊技制御装置１５に接続可能な制御装置側コネクタ４１を備えている。
【００１６】
そして、電気配線４０を配線コネクタ３９と制御装置側コネクタ４１との間で複数回折り返し、輪ゴム等の結束部材４３で束ねて自重による撓みを抑制可能な剛性状態とし、制御装置側コネクタ４１寄りに位置する裏側折り返し部４０ａ、および電気部品３３寄り（言い換えるとユニット基板３２寄り）に位置する部品側折り返し部４０ｂの幅（具体的には上下幅）を挿通口２０、詳しくは挿通口２０のうち電気配線４０が挿通される遊技領域５寄り（図２中、右寄り）の箇所の上下幅よりも大きく設定している。また、裏側折り返し部４０ａと部品側折り返し部４０ｂとを表示ケース２１の裏側で遊技盤本体２の表裏方向（表示ケース２１の表裏方向）に沿って並べて、電気配線４０のうち結束部材４３で束ねられた部分を遊技盤本体２の表裏方向に沿って延在する姿勢（表裏方向延在姿勢）に設定可能としている。
【００１７】
なお、普通図柄表示器３４は、普図始動ゲート９への入賞（通過）を契機として普図変動表示ゲーム（補助遊技）を行い、数字、記号等の普通図柄（普図）を変動表示する。このとき、遊技球が普図始動ゲート９を通過したが未処理となっている普図変動表示ゲームがある場合には、この未処理回数を普図始動記憶表示器３６の点灯数により表示する。そして、普図変動表示ゲームの表示態様が予め定めた特別の結果態様（当たり）になったときには、始動入賞口１０の開閉部材１０ａが開いて、遊技球が始動入賞口１０へ入賞し易い状態に変換する。
【００１８】
また、特別図柄表示器３５は、始動入賞口１０への入賞を始動条件として特図変動表示ゲーム（特別遊技）を行い、数字、記号等の特別図柄（特図）を変動表示する。このとき、遊技球が始動入賞口１０に入賞したが未処理となっている特図変動表示ゲームがある場合には、この未処理回数を特図始動記憶表示器３７の点灯数により表示する。そして、特図変動表示ゲームの表示態様が予め定めた特別の結果態様（大当たり）になったときには、大入賞口１３を所定時間および所定回数だけ開放して、遊技球が大入賞口１３に入賞し易い状態に変換する。さらに、遊技進行中に確率変動期間や時間短縮期間等になった場合には、ステータス表示器３８を点灯して遊技状態を報知する。
【００１９】
ユニットホルダ２６は、ユニット基板３２よりもひと回り大きく形成された板状部材であり、当該ユニットホルダ２６の前面側に表示ユニット２５を止着して、電気部品３３（普通図柄表示器３４、特別図柄表示器３５、普図始動記憶表示器３６、特図始動記憶表示器３７、ステータス表示器３８）の前端部が表示ユニット２５の表面寄りに位置する状態で保持している。また、ユニットホルダ２６の表面側のうち電気部品３３の後方に位置する箇所には、複数のホルダ開口部４５を開設し、ユニット基板３２の裏面から突出した電気部品３３のリード端子３３ａをホルダ開口部４５内へ収容してユニットホルダ２６とリード端子３３ａとが干渉する不都合、ひいてはユニットホルダ２６上の表示ユニット２５が不安定になる不都合を避けている。
【００２０】
さらに、ユニットホルダ２６の裏面側には、ケース開放口３０および挿通口２０へ挿通可能な配線ブラケット４６を遊技盤本体２の表裏方向に沿って延設している。そして、図２および図５に示すように、配線ブラケット４６の上下方向の中央部分を、ケース開放口３０（または挿通口２０）を挟んで遊技盤本体２の左右方向の中央部とは反対側（図２中、左側）へ向けて凹ませて、表示ケース２１の裏側から見て断面略「く」字状となる屈曲状態に設定している。また、配線ブラケット４６を挿通して挿通口２０を横方向（左右方向）に並んだ２つの空間に区画し、挿通口２０の内周壁２０ａのうち遊技領域５側（図２中、左側）に位置する領域側内周壁２０ｂと配線ブラケット４６との間の空間が、挿通口２０の内周壁２０ａのうち配線ブラケット４６を挟んで領域側内周壁２０ｂとは反対側に位置する側縁側内周壁２０ｃと配線ブラケット４６との間の空間よりも広くなるように構成されている。さらに、図４に示すように、配線ブラケット４６の基部（ユニットホルダ２６の裏面寄りの位置）には係合開口４７を開設し、該係合開口４７に通した紐等の係合部材４８により、電気配線４０のうち部品側折り返し部４０ｂと配線コネクタ３９との間に位置する部分を配線ブラケット４６へ係合している。
【００２１】
次に、遊技盤１の組立作業、特に表示ケース２１の遊技盤本体２への装着について説明する。なお、図６に示すように、組立作業においては、遊技盤本体２を載置可能な組立作業用治具５１を使用する。組立作業用治具５１は、上面開放の有底箱状体であり、当該組立作業用治具５１の内側空間部５１ａを、遊技盤本体２の裏側に装着される裏側構成部１６が収容可能な広さに設定している。さらに、組立作業用治具５１の上側開口縁部には位置決め段差部５１ｂを形成し、該位置決め段差部５１ｂに遊技盤本体２の縁部を嵌合して、組立作業用治具５１と遊技盤本体２との位置決めを行い、且つ遊技盤本体２が内側空間部５１ａへ落下することを阻止している。なお、位置決め段差部５１ｂには、サイドケース４との干渉を避けるための切欠部（図示せず）を形成してある。また、表示ケース２１は、図３および図４に示すように、予め電気配線４０を結束部材４３で束ねるとともに配線ブラケット４６へ係合して、表示ケース２１の裏面側に立設した状態にしておく。
【００２２】
遊技盤１の組立作業においては、図６（ａ）に示すように、まず、組立作業用治具５１上に遊技盤本体２を表面が上方へ向いた姿勢で載置し、遊技盤本体２の縁部を位置決め段差部５１ｂへ嵌合して遊技盤本体２を位置決めする。遊技盤本体２を位置決めしたならば、表示ケース２１を含むサイドケース４、およびガイドレール３を遊技盤本体２に装着する。ここで、表示ケース２１の装着について詳しく説明すると、表示ケース２１を遊技盤本体２の右下隅部の直上に位置させ、表示ケース２１の裏面側が遊技盤本体２の表面に対向する姿勢に設定する。そして、表示ケース２１を下ろして遊技盤本体２へ近づけ、挿通口２０に電気配線４０および配線ブラケット４６を挿通し、この状態で引き続き表示ケース２１を移動して遊技盤本体２の表面へ重合する。表示ケース２１を遊技盤本体２へ重合したならば、ビス等の止着部材（図示せず）で表示ケース２１を遊技盤本体２へ止着する。すると、遊技盤本体２は、図２に示すように、電気配線４０の折り返し部、詳しくは部品側折り返し部４０ｂを挿通口２０のうち遊技領域５寄り（図２中、右寄り）の箇所へ収容し、この部品側折り返し部４０ｂを挿通口２０の内周壁２０ａ、詳しくは領域側内周壁２０ｂで支持し、さらには領域側内周壁２０ｂと配線ブラケット４６との間で挟持する。したがって、束ねた状態の電気配線４０を遊技盤１の表裏方向に沿って延在する姿勢（表裏方向延在姿勢）に維持することができ、遊技盤１の組立作業時に電気配線４０が自重で曲がって遊技盤本体２の裏面側に沿う姿勢となることを避けることができる。
【００２３】
また、部品側折り返し部４０ｂの上下幅を、挿通口２０のうち遊技領域５寄りの箇所の上下幅よりも大きく設定しているため、部品側折り返し部４０ｂが挿通口２０の領域側内周壁２０ｂを押圧する。したがって、部品側折り返し部４０ｂが挿通口２０から外れ難くなり、束ねた状態の電気配線４０の表裏方向延在姿勢を一層確実に維持することができる。さらに、配線ブラケット４６に電気配線４０を係合し、この状態で配線ブラケット４６と領域側内周壁２０ｂとの間に部品側折り返し部４０ｂを挟持するので、配線ブラケット４６により電気配線４０を支持することができ、電気配線４０が外力を受けたとしても表裏方向延在姿勢を維持し易い。
【００２４】
遊技盤本体２にガイドレール３およびサイドケース４を止着したならば、この状態で遊技盤本体２を組立作業用治具５１から上昇させて一旦取り外し、裏返した後に組立作業用治具５１上へ裏面が上方へ向いた姿勢で載置し、遊技盤本体２の縁部を位置決め段差部５１ｂへ嵌合して遊技盤本体２を位置決めする。そして、遊技盤本体２の裏面側に裏側構成部１６を止着する（図６（ｂ）参照）。裏側構成部１６を止着したならば、再び遊技盤本体２を組立作業用治具５１から取り外し、裏返した後に組立作業用治具５１上へ表面が上方へ向いた姿勢で載置し、遊技盤本体２の縁部を位置決め段差部５１ｂへ嵌合して遊技盤本体２を位置決めするとともに、裏側構成部１６を組立作業用治具５１の内側空間部５１ａ内に収容する（図６（ｃ）参照）。このとき、図６（ｄ）に示すように、遊技盤本体２の裏面側から電気配線４０が突出していたとしても、この電気配線４０を表示方向延在姿勢に維持しているので、電気配線４０の先端部が遊技盤本体２を裏返している最中に遊技盤本体２の縁部に位置すること、ひいては遊技盤本体２の縁部と組立作業用治具５１の位置決め段差部５１ｂとの間、または遊技盤本体２の縁部と他部品との間に挟まれる不都合を阻止することができ、組立作業時における電気配線４０の損傷を抑制することができる。
【００２５】
組立作業用治具５１上に遊技盤本体２を表面が上方に露出した状態で位置決めしたならば、遊技領域５内に配置される構成部材（包囲枠体７や始動入賞口１０等）を遊技盤本体２へ止着する。そして、遊技盤本体２を起こしたり、あるいは遊技盤本体２を裏返したりして遊技盤本体２の裏面側を露出させ、遊技領域５内の構成部材や表示ケース２１等を裏側構成部１６（具体的には遊技制御装置１５）へ電気的に接続する。ここで、表示ケース２１においては、結束部材４３を外す等して電気配線４０の束ねた状態を解き、制御装置側コネクタ４１を引いて電気配線４０を挿通口２０から引き出す。このとき、配線ブラケット４６に電気配線４０を係合しているので、電気配線４０と電気部品３３との接続部、具体的には配線コネクタ３９に負荷が集中することを避けることができ、電気配線４０の電気部品３３側（ユニット基板３２側）の端部で断線する不都合を阻止することができる。
【００２６】
なお、上記実施形態では、係合部材４８を用いて電気配線４０と配線ブラケット４６とを係合したが、本発明はこれに限定されない。例えば、図７に示すように、電気配線４０のうち部品側折り返し部４０ｂと電気部品３３（ユニット基板３２）との間に位置する部分を係合開口４７へ挿通して、電気配線４０と配線ブラケット４６とを係合してもよい。このようにすれば、配線ブラケット４６と電気配線４０とを確実に係合することができる。また、配線ブラケット４６および電気配線４０とは別個の部品を用いずに配線ブラケット４６と電気配線４０とを係合することができ、電気配線４０が断線し難い遊技盤１の部品点数の減少を図ることができる。
【００２７】
ところで、上記実施形態では、配線ブラケット４６を常時表示ケース２１の表裏方向に沿って延在する姿勢に維持したが、本発明はこれに限定されない。例えば、配線ブラケット４６をユニットホルダ２６またはケースベース２４に回動可能な状態で軸着し、表示ケース２１の表裏方向に沿って延在する延在姿勢と、表示ケース２１の裏面に沿って寝かせた折りたたみ姿勢とに回動して変換できるように構成してもよい。そして、折りたたみ姿勢の配線ブラケット４６と表示ケース２１の裏面との間に、束ねた状態の電気配線４０を挟持すれば、遊技盤本体２に装着する前の表示ケース２１を小型化することができ、表示ケース２１の梱包や運搬を効率よく行うことができる。また、配線ブラケット４６を折りたたみ姿勢となる方向へ付勢する付勢部材を備えれば、電気配線４０を配線ブラケット４６と表示ケース２１の裏面との間に挟持した状態を維持することができる。さらに、遊技盤本体２に表示ケース２１を装着した状態では、付勢部材の付勢力により電気配線４０を配線ブラケット４６と挿通口２０の領域側内周壁２０ｂとの間で挟持することができ、電気配線４０を一層確実に挿通口２０から外れ難くすることができる。
【００２８】
また、上記実施形態では、発光体を備えた表示ケース２１を本発明における装飾部材の一例として挙げたが、本発明はこれに限定されない。要は、遊技盤本体の表面に装着され、通電が必要な電気部品を実装し、該電気部品に電気配線を接続した装飾部材であれば、どのようなものであってもよい。例えば、遊技領域内に配置される装飾部材であってもよい。また、電気部品がモータ等の電気的駆動源であってもよい。
【００２９】
そして、上記実施形態では、代表的な遊技機であるパチンコ遊技機を例にして説明したが、本発明はこれに限らず、遊技盤本体の表面に装飾部材を装着して遊技盤を構成し、装飾部材には電気部品を実装した遊技機であればどのような遊技機でもよい。例えば、封入球式パチンコ機、アレンジボール式遊技機、雀球式遊技機等の遊技機であってもよい。
【００３０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３１】
【図１】遊技盤の斜視図である。
【図２】遊技盤のうち表示ケースの周辺を後方から見た斜視図である。
【図３】表示ケースの前方から見た斜視図である。
【図４】表示ケースの後方から見た斜視図である。
【図５】表示ケースの分解斜視図である。
【図６】遊技盤の組立作業の説明図であり、（ａ）は遊技盤本体にサイドケース等を装着した状態の説明図、（ｂ）は遊技盤本体に裏側構成部を装着した状態の説明図、（ｃ）は遊技盤本体の裏側構成部を組立作業用治具の内側空間部内に収容した状態の説明図である。
【図７】配線ブラケットの係合開口に電気配線を挿通した状態の説明図である。
【符号の説明】
【００３２】
１  遊技盤
２  遊技盤本体
３  ガイドレール
４  サイドケース
５  遊技領域
７  包囲枠体
２０  挿通口
２０ａ  内周壁
２０ｂ  領域側内周壁
２０ｃ  側縁側内周壁
２１  表示ケース
２４  ケースベース
２５  表示ユニット
２６  ユニットホルダ
２９  ユニット収容部
３０  ケース開放口
３２  ユニット基板
３３  電気部品
３９  配線コネクタ
４０  電気配線
４０ａ  裏側折り返し部
４０ｂ  部品側折り返し部
４１  制御装置側コネクタ
４３  結束部材
４６  配線ブラケット
４７  係合開口
４８  係合部材
５１  組立作業用治具
【図１】
2010124912.tif 000003
【図２】
2010124912.tif 000004
【図３】
2010124912.tif 000005
【図４】
2010124912.tif 000006
【図５】
2010124912.tif 000007
【図６】
2010124912.tif 000008
【図７】
2010124912.tif 000009